【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
印刷媒体を第１の方向に搬送する搬送部と、
インクを吐出するインクノズルが形成される第１ヘッドユニット、及びインクを吐出するインクノズルが形成されて前記第１の方向にみて前記第１ヘッドユニットと重なる第１の領域と前記第１の方向にみて前記第１ヘッドユニットと重ならない第２の領域とにインクノズルが配設される第２ヘッドユニットを有するインクジェットヘッドと、
前記第１の領域のインクノズルで印刷される画像の濃度の調節量が入力される入力部と、
前記入力部に入力された前記調節量に基づいて前記第１の領域のインクノズルで吐出するインク量を調節するインク量調節部と、を備えることを特徴とするプリンター。
【請求項２】
前記第１ヘッドユニットのインクノズルおよび前記第２ヘッドユニットのインクノズルと、前記インクノズルで吐出されるインク量の補正量とを対応づけて濃度むらを補正するＢＲＳ補正テーブルを記憶する記憶部と、
前記ＢＲＳ補正テーブルに基づいて、画像データの画素の色をインク量に変換したインク量データを補正インク量に補正するＢＲＳ補正部と、を備え、
前記インク量調節部は、前記調節量に基づいて前記ＢＲＳ補正テーブルの前記補正量を増減して前記インク量を調節する請求項１に記載のプリンター。
【請求項３】
前記インクジェットヘッドは、インクを吐出するインクノズルが形成されて前記第１の方向に見て前記第２ヘッドユニットのインクノズルと重なる第３の領域と前記第１の方向にみて前記第２ヘッドユニットと重ならない第４の領域とにインクノズルが配設される第３ヘッドユニットを有し、
前記インク量調節部は、前記入力部に入力された前記調節量に基づいて前記第３の領域のインクノズルで吐出するインク量を調節する請求項１または２に記載のプリンター。
【請求項４】
前記インク量調節部は、前記入力部に入力された前記調節量に基づいて前記第２の領域のインクノズルで吐出するインク量を調節しない請求項１乃至３のいずれか１項に記載のプリンター。
【請求項５】
印刷媒体を第１の方向に搬送する搬送部、及びインクジェットヘッドを有し、当該インクジェットヘッドは、インクを吐出するインクノズルが形成される第１ヘッドユニット、及びインクを吐出するインクノズルが形成されて前記第１の方向にみて前記第１ヘッドユニットと重なる第１の領域と前記第１の方向にみて前記第１ヘッドユニットと重ならない第２の領域とにインクノズルが配設される第２ヘッドユニットを備えるプリンターと、
前記第１の領域のインクノズルで印刷される画像の濃度の調節量が入力される入力部、及び前記入力部に入力された前記調節量を前記プリンターに送信する通信部を備える印刷制御装置と、を有することを特徴とする印刷システム。
【請求項６】
前記プリンターは、前記印刷制御装置の前記通信部で送信された前記調節量に基づいて前記第１の領域のインクノズルで吐出するインク量を調節するインク量調節部を備える請求項５に記載の印刷システム。
【請求項７】
前記プリンターは、前記第１ヘッドユニットのインクノズルおよび前記第２ヘッドユニットのインクノズルと前記インクノズルで吐出されるインク量の補正量とを対応づけて濃度むらを補正するＢＲＳ補正テーブルを記憶する記憶部と、前記ＢＲＳ補正テーブルに基づいて画像データの画素の色をインク量に変換したインク量データを補正インク量に補正するＢＲＳ補正部と、を備え、
前記インク量調節部は、前記調節量に基づいて前記ＢＲＳ補正テーブルの前記補正量を増減して前記インク量を調節する請求項６に記載の印刷システム。
【請求項８】
前記インク量調節部は、前記入力部に入力された前記調節量に基づいて前記第２の領域のインクノズルで吐出するインク量を調節しない請求項６または７に記載の印刷システム。
【手続補正２】
【補正対象書類名】明細書
【補正対象項目名】０００９
【補正方法】変更
【補正の内容】
【０００９】
上記の課題を解決するために、本発明のプリンターは、印刷媒体を第１の方向に搬送する搬送部と、インクを吐出するインクノズルが形成される第１ヘッドユニット、及びインクを吐出するインクノズルが形成されて前記第１の方向にみて前記第１ヘッドユニットと重なる第１の領域と前記第１の方向にみて前記第１ヘッドユニットと重ならない第２の領域とにインクノズルが配設される第２ヘッドユニットを有するインクジェットヘッドと、前記第１の領域のインクノズルで印刷される画像の濃度の調節量が入力される入力部と、前記入力部に入力された前記調節量に基づいて前記第１の領域のインクノズルで吐出するインク量を調節するインク量調節部と、を備えることを特徴とする。
【手続補正３】
【補正対象書類名】明細書
【補正対象項目名】００１０
【補正方法】変更
【補正の内容】
【００１０】
また、上記の課題を解決するために、本発明の印刷システムは、印刷媒体を第１の方向に搬送する搬送部、及びインクジェットヘッドを有し、当該インクジェットヘッドは、インクを吐出するインクノズルが形成される第１ヘッドユニット、及びインクを吐出するインクノズルが形成されて前記第１の方向にみて前記第１ヘッドユニットと重なる第１の領域と前記第１の方向にみて前記第１ヘッドユニットと重ならない第２の領域とにインクノズルが配設される第２ヘッドユニットを備えるプリンターと、前記第１の領域のインクノズルで印刷される画像の濃度の調節量が入力される入力部、及び前記入力部に入力された前記調節量を前記プリンターに送信する通信部を備える印刷制御装置と、を有することを特徴とする。
【手続補正４】
【補正対象書類名】明細書
【補正対象項目名】００１３
【補正方法】変更
【補正の内容】
【００１３】
本発明のプリンターおよび印刷システムにおいて、前記第１ヘッドユニットのインクノズルおよび前記第２ヘッドユニットのインクノズルと、前記インクノズルで吐出されるインク量の補正量とを対応づけて濃度むらを補正するＢＲＳ補正テーブルを記憶する記憶部と、前記ＢＲＳ補正テーブルに基づいて、画像データの画素の色をインク量に変換したインク量データを補正インク量に補正するＢＲＳ補正部と、を備え、前記インク量調節部は、前記調節量に基づいて前記ＢＲＳ補正テーブルの前記補正量を増減して前記インク量を調節することが望ましいこのように、ＢＲＳ補正テーブルに定められた補正量を増減する処理を行う場合には、少ない記憶容量で、目的とするインクノズル（第１重なり領域のインクノズル）から吐出するインク量を増減できる。従って、第１重なり領域のインクノズルで印刷される画素の濃淡を調節できる。
【手続補正５】
【補正対象書類名】明細書
【補正対象項目名】００１４
【補正方法】変更
【補正の内容】
【００１４】
本発明のプリンターにおいて、前記インクジェットヘッドは、インクを吐出するインクノズルが形成されて前記第１の方向に見て前記第２ヘッドのインクノズルと重なる第３の領域と前記第１の方向にみて前記第２ヘッドユニットと重ならない第４の領域とにインクノズルが配設される第３ヘッドユニットを有し、前記インク量調節部は、前記入力部に入力された前記調節量に基づいて前記第３の領域のインクノズルで吐出するインク量を調節することができる。このようにすると、複数のバンディング領域の濃淡を一括して調節できる。従って、調節時の濃度設定作業が容易である。